(57)【要約】【課題】切断されて挿入側前端面の一部に接地用導電パッドが露出し、その露出区域以外の部分に信号用導電パッドが露出しているカードが挿入された場合でも、カードの排出を適切に検出することができるカードコネクタを提供する。【解決手段】カードコネクタ１は、カードＣを受容するハウジング１０と、カードＣの信号用導電パッドＰ２〜Ｐ８に接触するコンタクト２０と、ハウジング１０に取り付けられ、カードＣの排出を検知するプリウォーニングスイッチ５０とを備えている。プリウォーニングスイッチ５０は、互いに接触及び離間する第１コンタクト５１及び第２コンタクト５２からなる。第２コンタクト５２は、ハウジング１０の第１コンタクト５１よりもカード挿入方向の手前側に配置されたプリウォーニングスイッチ用の接地コンタクトで構成される。また、第２コンタクト５２の、カードＣの挿入側前端面に接触する接触部５２ｂは、カードＣに設けられた接地用導電パッドＰ１に対応する位置にある。【選択図】図９
2016100217.tif 000002
【特許請求の範囲】
【請求項１】
カードを受容するハウジングと、前記カードの信号用導電パッドに接触するコンタクトと、前記ハウジングに取り付けられ、前記カードの排出を検知するプリウォーニングスイッチとを備え、
前記プリウォーニングスイッチは、互いに接触及び離間する第１コンタクト及び第２コンタクトからなり、
前記第２コンタクトは、前記ハウジングの前記第１コンタクトよりもカード挿入方向の手前側に配置されたプリウォーニングスイッチ用の接地コンタクトで構成されるとともに、前記第２コンタクトの、前記カードの挿入側前端面に接触する接触部は、前記カードに設けられた接地用導電パッドに対応する位置にあることを特徴とするカードコネクタ。
【請求項２】
前記ハウジングに取り付けられ、前記カードの挿入状態を検知するカード検出スイッチを備えることを特徴とする請求項１記載のカードコネクタ。
【請求項３】
カードを受容するハウジングと、該ハウジングに取り付けられ、前記カードの信号用導電パッドに接触するコンタクトと、前記ハウジングに取り付けられ、前記カードの挿入状態を検知するカード検出スイッチと、前記ハウジングに取り付けられ、前記カードの排出を検出するプリウォーニングスイッチとを備え、
前記カード検出スイッチは、カード検出スイッチ用のセンサコンタクトと、カード検出スイッチ用の接地コンタクトとからなり、前記カード検出スイッチ用のセンサコンタクト及び接地コンタクトは、前記カードの挿入時に、前記カードに設けられた接地用導電パッドに接触し、互いに前記接地用導電パッドを介して導通するようになっており、
前記プリウォーニングスイッチは、プリウォーニングスイッチ用のセンサコンタクトで構成される第１コンタクトと、プリウォーニングスイッチ用の接地コンタクトで構成される第２コンタクトとからなり、前記第１コンタクト及び前記第２コンタクトは、前記ハウジングのカード挿入方向の奥側に配置されるとともに、前記第２コンタクトは、前記第１コンタクトよりもカード挿入方向の手前側に配置されており、前記カードの挿入が完了した状態から前記カードを排出する時に、前記カードの挿入側前端面が前記第２コンタクトの接触部に当接し、前記第２コンタクトの前記接触部はカード挿入方向の奥側に変位して前記第１コンタクトの接触部に接触するとともに、カード挿入方向の手前側に変位して前記第１コンタクトの前記接触部から離間し、前記第２コンタクトの前記接触部は、前記カードの前記接地用導電パッドに対応する位置にあることを特徴とするカードコネクタ。
【請求項４】
前記接地用導電パッドは、前記カードの裏面の幅方向一側面側の一部領域に配置され、前記信号用導電パッドは、前記カードの裏面の前記接地用導電パッドを除く領域に配置されており、前記カード検出用のセンサコンタクト及び接地コンタクトは、前記ハウジングの幅方向一側面側に配置されて前記カードの前記接地用導電パッドに接触することを特徴とする請求項３記載のカードコネクタ。
【発明の詳細な説明】
【技術分野】
【０００１】
本発明は、カードの排出を検出するためのプリウォーニングスイッチを有するカードコネクタに関する。
【背景技術】
【０００２】
従来、例えば、メモリカードやＳＩＭ（加入者識別モジュール）カードなどのカードが挿入されるカードコネクタなどにおいては、挿入されたカードを排出する際に、そのカードの排出を検出するプリウォーニングスイッチを有しているのが一般的である。
従来のこの種のプリウォーニングスイッチを有するカードコネクタの一例として、例えば、特許文献１に示すものが知られている。
【０００３】
特許文献１に示すカードコネクタは、カードが挿入されるハウジングと、カードの排出を検出するプリウォーニングスイッチとを備えている。
ここで、プリウォーニングスイッチは、互いに接触及び離反する第１コンタクト及び第２コンタクトからなっている。そして、第２コンタクトは、第１コンタクトよりもカード挿入方向の手前側に配置されている。そして、カードの挿入が完了した状態からカードを排出する時に、カードの挿入側前端面が第２コンタクトに当接し、第２コンタクトはカード挿入方向の奥側に変位して第１コンタクトに接触する。その後、第２コンタクトは、カード挿入方向手前側に変位して第１コンタクトから離反するようになっている。
【先行技術文献】
【特許文献】
【０００４】
【特許文献１】米国特許第７２５８２７８号明細書
【発明の概要】
【発明が解決しようとする課題】
【０００５】
ところで、近年においては、マイクロＳＩＭカード（３ＦＦ）と呼ばれるＳＩＭカードよりもサイズの小さなナノＳＩＭカード（４ＦＦ）と呼ばれるＳＩＭカードが開発され、そのナノＳＩＭカードを接続するためのカードコネクタも開発されている。
ここで、このナノＳＩＭカードコネクタには、通常、ナノＳＩＭカードが挿入される。しかし、ユーザ（一般消費者）自らナノＳＩＭカードよりもサイズの大きなマイクロＳＩＭカードをナノＳＩＭカードのサイズに切断して、この切断したカードをナノＳＩＭカードコネクタに挿入する場合がある。
【０００６】
マイクロＳＩＭカードをナノＳＩＭカードのサイズに切断すると、切断されたカードの挿入側前端面の一部に接地用導電パッドが露出することがある。また、切断すると、切断されたカードの挿入側前端面であって接地用導電パッドが露出している区域以外の部分に信号用導電パッドが露出することがある。
このように切断されたカードをナノＳＩＭカードコネクタに挿入すると、次の問題が生じる。即ち、切断されたカードの挿入が完了し、そのカードを排出する時に、切断されたカードの挿入側前端面の接地用導電パッドあるいは信号用導電パッドがプリウォーニングスイッチに接触してしまうことがある。当該接触が生じると、当該プリウォーニングスイッチとカード側の接地用導電パッドあるいは信号用導電パッドとが短絡し、カードの排出を適切に検出できない。
【０００７】
例えば、このナノＳＩＭカードコネクタとして、特許文献１に記載されたカードコネクタを用いた場合には、切断されたカードをナノＳＩＭカードコネクタに挿入する。そして、切断されたカードの挿入が完了した状態からカードを排出する時に、切断されたカードの挿入側前端面の接地用導電パッドあるいは信号用導電パッドが、プリウォーニングスイッチのカード挿入方向手前側の第２コンタクトに接触してしまう。この場合において、第２コンタクトがプリウォーニングスイッチ用のセンサコンタクトである場合には、第２コンタクトとカード側の接地用導電パッドあるいは信号用導電パッドとが短絡し、カードの排出を適切に検出できない。また、第２コンタクトがプリウォーニングスイッチ用の接地コンタクトである場合には、第２コンタクトがカード側の信号用導電パッドに接触すると、第２コンタクトがカード側の信号用導電パッドと短絡し、カードの排出を適切に検出できない。
従って、本発明は上述の問題点を解決するためになされたものであり、その目的は、切断されて挿入側前端面の一部に接地用導電パッドが露出し、その露出区域以外の部分に信号用導電パッドが露出しているカードが挿入された場合でも、カードの排出を適切に検出することができるカードコネクタを提供することにある。
【課題を解決するための手段】
【０００８】
上記課題を達成するために、本発明の一態様に係るカードコネクタは、カードを受容するハウジングと、前記カードの信号用導電パッドに接触するコンタクトと、前記ハウジングに取り付けられ、前記カードの排出を検知するプリウォーニングスイッチとを備え、前記プリウォーニングスイッチは、互いに接触及び離間する第１コンタクト及び第２コンタクトからなり、前記第２コンタクトは、前記ハウジングの前記第１コンタクトよりもカード挿入方向の手前側に配置されたプリウォーニングスイッチ用の接地コンタクトで構成されるとともに、前記第２コンタクトの、前記カードの挿入側前端面に接触する接触部は、前記カードに設けられた接地用導電パッドに対応する位置にあることを要旨とする。
【０００９】
また、本発明の別の態様に係るカードコネクタは、カードを受容するハウジングと、該ハウジングに取り付けられ、前記カードの信号用導電パッドに接触するコンタクトと、前記ハウジングに取り付けられ、前記カードの挿入状態を検知するカード検出スイッチと、前記ハウジングに取り付けられ、前記カードの排出を検出するプリウォーニングスイッチとを備え、前記カード検出スイッチは、カード検出スイッチ用のセンサコンタクトと、カード検出スイッチ用の接地コンタクトとからなり、前記カード検出スイッチ用のセンサコンタクト及び接地コンタクトは、前記カードの挿入時に、前記カードに設けられた接地用導電パッドに接触し、互いに前記接地用導電パッドを介して導通するようになっており、前記プリウォーニングスイッチは、プリウォーニングスイッチ用のセンサコンタクトで構成される第１コンタクトと、プリウォーニングスイッチ用の接地コンタクトで構成される第２コンタクトとからなり、前記第１コンタクト及び前記第２コンタクトは、前記ハウジングのカード挿入方向の奥側に配置されるとともに、前記第２コンタクトは、前記第１コンタクトよりもカード挿入方向の手前側に配置されており、前記カードの挿入が完了した状態から前記カードを排出する時に、前記カードの挿入側前端面が前記第２コンタクトの接触部に当接し、前記第２コンタクトの前記接触部はカード挿入方向の奥側に変位して前記第１コンタクトの接触部に接触するとともに、カード挿入方向の手前側に変位して前記第１コンタクトの前記接触部から離間し、前記第２コンタクトの前記接触部は、前記カードの前記接地用導電パッドに対応する位置にあることを要旨とする。
【発明の効果】
【００１０】
本発明に係るカードコネクタによれば、プリウォーニングスイッチは、互いに接触及び離間する第１コンタクト及び第２コンタクトからなる。そして、第２コンタクトは、ハウジングの第１コンタクトよりもカード挿入方向の手前側に配置されたプリウォーニングスイッチ用の接地コンタクトで構成されるとともに、第２コンタクトの、カードの挿入側前端面に接触する接触部は、カードに設けられた接地用導電パッドに対応する位置にある。このため、切断されて挿入側前端面の一部に接地用導電パッドが露出し、その露出区域以外の部分に信号用導電パッドが露出しているカードが挿入された場合でも、接地コンタクトで構成された第２コンタクトの接触部が挿入側前端面に露出した接地用導電パッドに接触する。これにより、第２コンタクトがカード側の信号用導電パッドと短絡することなく、カードの排出を適切に検出することができる。
【図面の簡単な説明】
【００１１】
【図１】本発明に係るカードコネクタの実施形態を示し、（Ａ）は平面図、（Ｂ）は正面図である。
【図２】図１のカードコネクタを示し、（Ａ）は背面図、（Ｂ）は右側面図、（Ｃ）は左側面図である。
【図３】図１のカードコネクタからシェルを取り外した状態の平面図である。
【図４】図１のカードコネクタからシェルを取り外した状態の平面図であって、カード検出スイッチ用のセンサコンタクト及び接地コンタクトの配線状態を破断線で示している。但し、図４においては、イジェクト機構は図示していない。
【図５】カードの平面図である。
【図６】図１に示すカードコネクタにカードが挿入され、スライダが排出位置にある状態を示す平面図である。
【図７】図６において、カードを透視して見た平面図である。
【図８】図６及び図７に示す状態からカードが挿入方向に押圧され、スライダが押圧位置にある状態を示す平面図である。但し、図８においては、ばね部材は図示していない。
【図９】図８において、カードを透視して見た平面図である。
【図１０】図８に示す状態からカードの押圧が解除されてカードがカード排出方向に付勢され、スライダが嵌合位置にある状態を示す平面図である。但し、図１０においては、ばね部材は図示していない。
【図１１】図１０において、カードを透視して見た平面図である。
【図１２】図１０及び図１１に示す状態からカードがカード挿入方向に再度押圧され、スライダが再度の押圧位置にある状態を示す平面図である。但し、図１２においては、ばね部材は図示していない。
【図１３】図１２において、カードを透視して見た平面図である。
【発明を実施するための形態】
【００１２】
以下、本発明に係るカード用コネクタの実施形態を図面を参照して説明する。
図１乃至図４に示すカードコネクタ１は、メモリカードやＳＩＭカード等のカードＣ（図５参照）が図６乃至図１３に示すように挿入及び排出されるものである。カードＣは、カードコネクタ１を基準として前方（図６における下方）から後方（図６における上方）に向けて挿入され、後方から前方に向けて排出される。カードコネクタ１を基準として前方から後方への方向をカード挿入方向、後方から前方への方向をカード排出方向とする。
【００１３】
カードＣは、図５に示すように、略矩形平板状に形成され、その裏面に、本実施形態にあっては１つの接地用導電パッドＰ１と本実施形態にあっては７つの信号用導電パッドＰ２〜Ｐ８とが設けられている。接地用導電パッドＰ１及び２つの信号用導電パッドＰ２、Ｐ３は、カードＣの長手方向前端近傍（図５における上端近傍）に一列状に設けられている。カードＣを基準として長手方向前端は、カードの挿入側前端となる。接地用導電パッドＰ１は、カードＣの裏面の幅方向右側面側（図５における左右方向右側面側）の一部領域に配置されている。２つの信号用導電パッドＰ２、Ｐ３は、接地用導電パッドＰ１に続いて幅方向左側面側に向けて等ピッチで配置されている。また、２つの信号用導電パッドＰ４、Ｐ５は、カードＣの長手方向略中央部において、カードＣの幅方向右側面側と幅方向左側面側とに一列状に配置されている。更に、３つの信号用導電パッドＰ６、Ｐ７、Ｐ８は、カードＣの長手方向後端近傍に一列状に設けられている。３つの信号用導電パッドＰ６、Ｐ７、Ｐ８は、カードＣの幅方向右側面側から幅方向左側面側に向けて信号用導電パッドＰ６、Ｐ７、Ｐ８の順に等ピッチで配置されている。結果的に、７つの信号用導電パッドＰ２〜Ｐ８は、カードＣの裏面において接地用導電パッドＰ１を除く領域に配置されている。また、カードＣの長手方向前端面と幅方向左側面とが交差する角部には、カードＣの誤挿入を防止するための切欠Ｃ１が設けられている。
【００１４】
カードコネクタ１は、図１乃至図４に示すように、ハウジング１０と、複数のコンタクト２０と、金属製のシェル３０と、カード検知スイッチ４０と、プリウォーニングスイッチ５０と、プッシュ−プッシュ式のイジェクト機構６０とを備えている。
ここで、ハウジング１０は、略矩形状に形成され、図３に示すように、略矩形平板状の底壁１１を備えている。また、ハウジング１０は、底壁１１の幅方向左端（図３における左右方向左端）から立ち上がる左側壁１２と、底壁１1の幅方向右端から立ち上がる右側壁１３とを備えている。また、ハウジング１０は、底壁１１の長手方向後端（図３における上下方向上端）から立ち上がる後壁１４を備えている。後壁１４は、左側壁１２の長手方向後端から底壁１１の幅方向右側に向けてハウジング１０の後側の大部分が開口するように延びる。そして、ハウジング１０は、図１（Ａ），（Ｂ）に示すように、上側から取り付けられるシェル３０と底壁１１との間にカードＣを受容するカード受容空間１５を形成する。カード受容空間１５は、図３に示すように、左側壁１２から底壁１１の幅方向右側に向けて底壁１１の上方側に形成されている。また、底壁１１の上方には、カード受容空間１５から右側壁１３に至るまでの間にイジェクト機構収容空間１６が形成されている。そして、イジェクト機構収容空間１６の長手方向前端には、底壁１１から立ち上がる前壁部１７ａが形成され、イジェクト機構収容空間１６の長手方向後端には、底壁１１から立ち上がる後壁部１７ｂが形成されている。ハウジング１０は、絶縁性の合成樹脂を成形することによって形成される。
【００１５】
また、複数（本実施形態にあっては５つ）のコンタクト２０は、図３に示すように、ハウジング１０の底壁１１の幅方向に沿って２列状に底壁１１に取り付けられる。各コンタクト２０は、図１（Ｂ）及び図３に示すように、カード受容空間１５内に突出する接触部２０ａと、ハウジング１０から後方に延びる基板接続部２０ｂとを備えている。各コンタクト２０は、導電性金属板を打抜き及び曲げ加工することによって形成される。５つのコンタクト２０のうち２つのコンタクト２０は、図１１に示すように、カードＣが挿入完了した時（スライダ７０が嵌合位置にある時）に、それらの接触部２０ａがそれぞれカードＣの裏面に形成された信号用導電パッドＰ２、Ｐ３と対応する位置に配置される。この２つのコンタクト２０の接触部２０ａは、カードＣが排出状態にあるときには、信号用導電パッドＰ２、Ｐ３と接触していない。そして、カードＣが挿入されて図６及び図７に示すスライダ７０及びカードＣの排出位置から図８及び図９に示すスライダ７０及びカードＣの押圧位置に至る。この途中で、２つのコンタクト２０の接触部２０ａは信号用導電パッドＰ２、Ｐ３に接触する。また、５つのコンタクト２０のうち残りの３つのコンタクト２０は、カードＣが挿入完了した時に、それらの接触部２０ａがそれぞれカードＣの裏面の信号用導電パッドＰ６、Ｐ７、Ｐ８に対応する位置に配置される。この３つのコンタクト２０の接触部２０ａは、カードＣが排出状態にあるときには、信号用導電パッドＰ６、Ｐ７、Ｐ８と接触していない。そして、カードＣが挿入されて図６及び図７に示すスライダ７０及びカードＣの排出位置から図８及び図９に示すスライダ７０及びカードＣの押圧位置に至る。この途中で、３つのコンタクト２０の接触部２０ａは信号用導電パッドＰ６、Ｐ７、Ｐ８に接触する。
【００１６】
金属製のシェル３０は、金属板を打抜き及び曲げ加工することによって形成され、図１（Ａ），（Ｂ）に示すように、ハウジング１０の上面を覆う略平板状に形成された上壁３１を有する。シェル３０は、ハウジング１０上に載置され、ハウジング１０の底壁１１との間にカードＣを受容するカード受容空間１５を形成する。また、シェル３０は、底壁１１との間にイジェクト機構６０を収容するイジェクト機構収容空間１６を形成する。そして、シェル３０は、図１（Ａ），（Ｂ）及び図２（Ａ），（Ｂ）、（Ｃ）に示しように、上壁３１の幅方向左端に設けられた左側壁３２及び上壁３１の幅方向右端に設けられた右側壁３３を備える。また、シェル３０は、上壁３１の後端に設けられた後壁３４を有する。シェル３０は、左側壁３２、右側壁３３及び後壁３４によりハウジング１０に固定される。シェル３０の上壁３１には、図１（Ａ）に示すように、イジェクト機構６０の後述するカムロッド８２を上方から押える弾性舌片３１ａが設けられている。
【００１７】
カード検知スイッチ４０は、ノーマリーオープンタイプのスイッチでカードＣの挿入状態を検出するものである。カード検出スイッチ４０は、図３及び図４に示すように、ハウジング１０の底壁１１に取り付けられたカード検出スイッチ用のセンサコンタクト４１及びカード検出スイッチ用の接地コンタクト４２からなる。
カード検出スイッチ用のセンサコンタクト４１は、図３に示すように、カード受容空間１５内に突出する接触部４１ａと、ハウジング１０から後方に延びる基板接続部４１ｂとを備えている。このセンサコンタクト４１は、導電性金属板を打抜き及び曲げ加工することによって形成される。センサコンタクト４１は、図１１に示すように、カードＣの挿入が完了した時（スライダ７０が嵌合位置にある時）に、接触部４１ａがカードＣの裏面に設けられた接地用導電パッドＰ１に対応する位置に設けられる。つまり、センサコンタクト４１は、底壁１１の幅方向右側面側であってカード受容空間１５の下側に設置される。センサコンタクト４１の接触部４１ａは、図４に示すように、ハウジング１０の底壁１１にインサート成形によって固定された固定部４１ｃの前端からから後方かつ上方に延びるよう形成される。また、センサコンタクト４１の基板接続部４１ｂは、図４に示すように、固定部４１ｃの後端から後方に延び、図示しない回路基板上のセンサ用信号ラインに接続される。
【００１８】
また、カード検出スイッチ用の接地コンタクト４２は、カード受容空間１５内に突出する二股状の接触部４２ａと、ハウジング１０から後方に延びる基板接続部４２ｂとを備えている。接触部４２ａは、長さの異なる２本の第１接触片４２ａ１と第２接触片４２ａ２とからなる。接地コンタクト４２は、導電性金属板を打抜き及び曲げ加工することによって形成される。接地コンタクト４２は、図１１に示すように、カードＣの挿入が完了した時に、接触部４２ａがカードＣの裏面に設けられた接地用導電パッドＰ１に対応する位置に設けられる。つまり、接地コンタクト４２は、底壁１１の幅方向右側面側かつセンサコンタクト４１よりも右側であってカード受容空間１５の下側に設置される。接地コンタクト４２の接触部４２ａは、図４に示すように、ハウジング１０の底壁１１にインサート成形によって固定された固定部４２ｃの前端からから後方かつ上方に二股状に延びるよう形成される。また、接地コンタクト４２の基板接続部４２ｂは、図４に示すように、固定部４２ｃの後端から後方に延び、図示しない回路基板上の接地ラインに接続される。
【００１９】
ここで、センサコンタクト４１の接触部４１ａ及び接地コンタクト４２の接触部４２ａは、カードＣが排出状態にあるときには、接地用導電パッドＰ１と接触していない（図６及び図７参照）。そして、カードＣが挿入されて図６及び図７に示すスライダ７０及びカードＣの排出位置から図８及び図９に示すスライダ７０及びカードＣの押圧位置に至る。この途中で、最初に接地コンタクト４２の第１接触片４２ａ１が、次にセンサコンタクト４１の接触部４１ａ及び接地コンタクト４２の第２接触片４２ａ２がカードＣの接地用導電パッドＰ１に接触する。これにより、センサコンタクト４１の接触部４１ａ及び接地コンタクト４２の接触部４２ａは、互いに接地用導電パッドＰ１を介して導通し、カード検知スイッチ４０がオン状態になる。この接触部４１ａ、４２ａの接地用導電パッドＰ１への接触状態は、図８及び図９に示す押圧位置、図１０及び図１１に示す嵌合位置（カードＣの挿入が完了した状態）及び図１２及び図１３に示す再度の押圧位置で維持される。
【００２０】
また、プリウォーニングスイッチ５０は、ノーマリーオープンタイプのスイッチでカードＣの排出を検出するものである。プリウォーニングスイッチ５０は、図３に示すように、ハウジング１０の後壁１４に取り付けられて、カード挿入方向の奥側に配置された第１コンタクト５１及び第２コンタクト５２からなる。第１コンタクト５１及び第２コンタクト５２は、互いに接触及び離間する。
【００２１】
第１コンタクト５１は、プリウォーニングスイッチ用のセンサコンタクトで構成されている。第１コンタクト５１は、図３に示すように、後壁１４への固定部５１ａと、固定部５１ａからハウジング１０の幅方向右側に延びてカード受容空間１５内に突出する接触部５１ｂとを備えている。接触部５１ｂは、片持ち梁状の弾性アームの先端部に形成される。また、第１コンタクト５１は、固定部５１ａからハウジング１０の外側へ延びる基板接続部５１ｃを備えている。第１コンタクト５１は、導電性金属板を打抜き及び曲げ加工することによって形成される。基板接続部５１ｃは、図示しない回路基板上のセンサ用信号ラインに接続される。
【００２２】
第２コンタクト５２は、プリウォーニングスイッチ用の接地コンタクトで構成されている。第２コンタクト５２は、図３に示すように、第１コンタクト５１よりもカード挿入方向の手前側に配置される。第２コンタクト５２は、後壁１４への固定部５２ａと、固定部５２ａからハウジング１０の幅方向右側に延びてカード受容空間１５内に突出する接触部５２ｂとを備えている。接触部５２ｂは、片持ち梁状の弾性アームの先端部に形成され、カードＣの裏面に設けられた接地用導電パッドＰ１に対応する位置にある。つまり、接触部５２ｂは、図６に示すように、ハウジング１０の幅方向において、カードＣの導電パッドＰ１と対応する位置に設けられる。また、第２コンタクト５２は、固定部５２ａからハウジング１０の外側へ延びる基板接続部５２ｃを備えている。第２コンタクト５２は、導電性金属板を打抜き及び曲げ加工することによって形成される。基板接続部５２ｃは、図示しない回路基板上の接地ラインに接続される。
【００２３】
ここで、第１コンタクト５１の接触部５１ｂ及び第２コンタクト５２の接触部５２ｂは、カードＣが排出状態にあるときには、互いに離間している（図６及び図７参照）。そして、カードＣが挿入されて図６及び図７に示すスライダ７０及びカードＣの排出位置から図８及び図９に示すスライダ７０及びカードＣの押圧位置に至る。この途中で、カードＣの挿入側前端面（カードＣの長手方向前端面）が、第２コンタクト５２の接触部５２ｂに当接する。すると、第２コンタクト５２の接触部５２ｂは、一旦、カードＣの挿入方向の奥側に変位して第１コンタクト５１の接触部５１ｂに接触する。そして、カードＣがカード排出方向に戻されて図１０及び図１１に示す嵌合位置（カードＣの挿入が完了した状態）になる。すると、第２コンタクト５２の接触部５２ｂはカード挿入方向の手前側に変位して、一旦、第１コンタクト５１の接触部５１ｂから離間する。
【００２４】
そして、カードＣの排出時に、図１０及び図１１に示すスライダ７０及びカードＣの嵌合位置からカードＣを再度押圧する。すると、図１２及び図１３に示すスライダ７０及びカードＣの押圧位置になる途中で、カードＣの挿入側前端面のうち幅方向において接地用導電パッドＰ１に対応する位置の部分が第２コンタクト５２の接触部５２ｂに当接する。すると、第２コンタクト５２の接触部５２ｂは、再度、カードＣの挿入方向の奥側に変位して第１コンタクト５１の接触部５１ｂに接触する。これにより、第１コンタクト５１と第２コンタクト５２とが２回目の接触をするので、制御装置側でプリウォーニングスイッチ５０のオン状態と判断し、カードＣが排出されることが検知される。そして、カードＣがカード排出方向に戻されて図６及び図７に示すスライダ７０及びカードＣの排出位置になる途中で、第２コンタクト５２の接触部５２ｂはカード挿入方向の手前側に変位する。そして、第２コンタクト５２の接触部５２ｂは、再度、第１コンタクト５１の接触部５１ｂから離間する。そして、カードＣの排出が完了した状態では、第２コンタクト５２の接触部５２ｂは第１コンタクト５１の接触部５１ｂから離間した状態を維持する。
【００２５】
また、イジェクト機構６０は、いわゆるプッシュ−プッシュ式と呼ばれるものであり、ハウジング１０のイジェクト機構収容空間１６に配置されてカード排出方向にカードＣを排出するものである。このイジェクト機構６０は、図３に示すように、スライダ７０と、カム機構８０とから構成されている。
スライダ７０は、ハウジング１０のイジェクト機構収容空間１６内に配置され、図６及び図７に示す排出位置、図８及び図９に示す押圧位置、図１０及び図１１に示す嵌合位置、及び図１２及び図１３に示す再度の押圧位置間を移動可能になっている。スライダ７０は、後述するカム溝８１が上面に形成されたカム基台部７１と、カム基台部７１の後端からカード受容空間１５内に突出する突出部７２とを備えている。スライダ７０は、スライダ７０のカム基台部７１とイジェクト機構収容空間１６の後壁部１７ｂとの間に配置されたばね部材９０によりカード排出方向に付勢される。
【００２６】
また、カム機構８０は、図３に示すように、ハート形のカム溝８１と、カム溝８１に沿って揺動するカムロッド８２とから構成されている。カム溝８１は、図３に示すように、スライダ７０のカム基台部７１の上面に形成され、前後方向に延びる直線状部８１ａを備えている。また、カム溝８１は、直線状部８１ａの前端付近から幅方向外側にそれる第１迂回部８１ｂと、直線状部８１ａの前端から幅方向内側にそれる第２迂回部８１ｃと、第１迂回部８１ｂと第２迂回部８１ｃとをつなぐ連結部８１ｄとを備えている。一方、カムロッド８２は、図３に示すように、その一端がイジェクト機構収容空間１６の前壁部１７ａに揺動自在に軸支さる。カムロッド８２の他端は、カム溝８１に沿って揺動する。カムロッド８２は、直線状の金属棒の両端を同一方向に折り曲げて形成される。
【００２７】
次に、本発明の作用について図６乃至図１３を参照して説明する。
先ず、ハウジング１０内にカードＣが挿入されていないときには、スライダ７０が図６及び図７に示す排出位置に位置している。この排出位置では、カムロッド８２の他端部がカム溝８１の直線状部８１ａの最後端に位置している。そして、カードＣをカード受容空間１５内に挿入すると、図６及び図７に示すように、カードＣの先端がスライダ７０の突出部７２に当接する。
【００２８】
このスライダ７０及びカードＣが図６及び図７に示す排出位置にあるときには、２つのコンタクト２０の接触部２０ａは信号用導電パッドＰ２、Ｐ３に接触していない。また、残りの３つのコンタクト２０の接触部２０ａは、信号用導電パッドＰ６、Ｐ７、Ｐ８に接触していない。
また、スライダ７０及びカードＣが図６及び図７に示す排出位置にあるときには、カード検知スイッチ４０を構成するセンサコンタクト４１の接触部４１ａ及び接地コンタクト４２の接触部４２ａは、カードＣの接地用導電パッドＰ１に接触していない。
更に、スライダ７０及びカードＣが図６及び図７に示す排出位置にあるときには、プリウォーニングスイッチ５０を構成する第１コンタクト５１の接触部５１ｂと第２コンタクト５２の接触部５２ｂとは接触していない。
【００２９】
そして、カードＣの挿入を続行し、スライダ７０がハウジング１０の後壁部１７ｂに当接するまでスライダ７０及びカードＣを前進させる。すると、スライダ７０及びカードＣは図８及び図９に示す押圧位置に位置する。この押圧位置では、カムロッド８２の他端部がカム溝８１の第２迂回部８１ｃの最前端に位置する。
このスライダ７０及びカードＣが図６及び図７に示す排出位置から図８及び図９に示す押圧位置に至る途中で、２つのコンタクト２０の接触部２０ａは信号用導電パッドＰ２、Ｐ３にそれぞれ接触する。また、残りの３つのコンタクト２０の接触部２０ａは、信号用導電パッドＰ６、Ｐ７、Ｐ８にそれぞれ接触する。
【００３０】
また、スライダ７０及びカードＣが図６及び図７に示す排出位置から図８及び図９に示す押圧位置に至る途中で、センサコンタクト４１の接触部４１ａ及び接地コンタクト４２の接触部４２ａは、ほぼ同時にカードＣの接地用導電パッドＰ１に接触する。これにより、センサコンタクト４１の接触部４１ａ及び接地コンタクト４２の接触部４２ａは、互いに接地用導電パッドＰ１を介して導通し、カード検知スイッチ４０がオン状態になる。つまり、カード検出スイッチ用のセンサコンタクトと接地コンタクトとが接地用導電パッドＰ１を介して導通し、カード検知スイッチ４０がオン状態になる。従って、切断されて幅方向左側面に信号用の導電パッド（例えば、信号用導電パッドＰ３、Ｐ５，Ｐ８）が露出しているカードＣが挿入された場合でもカード挿入状態を適切に検出することができる。つまり、カード検知スイッチ４０は、カードＣの幅方向左側面の導電パッドの露出状態に関係なく、カード挿入状態を適切に検出する。また、カードＣの接地用導電パッドＰ１は、カード検出スイッチ用の接地コンタクト４２を介して回路基板上に接地される。
【００３１】
ここで、接地用導電パッドＰ１は、カードＣの裏面の幅方向右側面側の一部領域に配置され、信号用導電パッドＰ２〜Ｐ８は、カードＣの裏面の接地用導電パッドＰ１を除く領域に配置されている。また、センサコンタクト４１及び接地コンタクト４２は、ハウジング１０の幅方向右側面側に配置されてカードＣの接地用導電パッドＰ１に接触する。このため、カードＣの幅方向左側面において信号用導電パッドＰ３、Ｐ５、Ｐ８が露出していても、位置的にもカード検知スイッチ４０の動作に影響は及ぼさない。
【００３２】
また、スライダ７０及びカードＣが図６及び図７に示す排出位置から図８及び図９に示す押圧位置に至る途中で、カードＣの挿入側前端面（カードＣの長手方向前端面）が、第２コンタクト５２の接触部５２ｂに当接する。この場合、カードＣの挿入側前端面のうち幅方向において接地用導電パッドＰ１に対応する位置の部分が第２コンタクト５２の接触部５２ｂに当接する。すると、第２コンタクト５２の接触部５２ｂは、一旦、カード挿入方向の奥側に変位して第１コンタクト５１の接触部５１ｂに接触する。ここでは、第１コンタクト５１と第２コンタクト５２とが接触するが、制御装置側で１回目の接触とみなし、カードＣの排出と判断しない。
【００３３】
そして、スライダ７０及びカードＣが図８及び図９に示す押圧位置にあるときには、２つのコンタクト２０の接触部２０ａは信号用導電パッドＰ２、Ｐ３にそれぞれ接触している状態を維持する。また、残りの３つのコンタクト２０の接触部２０ａは、信号用導電パッドＰ６、Ｐ７、Ｐ８にそれぞれ接触している状態を維持する。
また、スライダ７０及びカードＣが図８及び図９に示す押圧位置にあるときには、センサコンタクト４１の接触部４１ａ及び接地コンタクト４２の接触部４２ａは、カードＣの接地用導電パッドＰ１に接触している状態を維持する。
更に、スライダ７０及びカードＣが図８及び図９に示す押圧位置にあるときには、第２コンタクト５２の接触部５２ｂは、第１コンタクト５１の接触部５１ｂに接触している状態を維持している。
【００３４】
そして、スライダ７０及びカードＣが図８及び図９に示す押圧位置にある状態で、カードＣから手を離す。すると、カードＣの押圧が解除されてばね部材９０の作用により、スライダ７０がカード排出方向に付勢される。これにより、カードＣもスライダ７０とともにカード排出方向に移動し、図１０及び図１１に示す嵌合位置となる。この嵌合位置で、カードＣの挿入が完了する。この嵌合位置では、カムロッド８の他端部がカム溝８１の連結部８１ｄに位置し、スライダ７０の前後方向の移動は規制される。
【００３５】
このスライダ７０及びカードＣが図１０及び図１１に示す嵌合位置にあるときには、２つのコンタクト２０の接触部２０ａは信号用導電パッドＰ２、Ｐ３にそれぞれ接触している状態を維持する。また、残りの３つのコンタクト２０の接触部２０ａは、信号用導電パッドＰ６、Ｐ７、Ｐ８にそれぞれ接触している状態を維持する。
また、スライダ７０及びカードＣが図１０及び図１１に示す嵌合位置にあるときには、センサコンタクト４１の接触部４１ａ及び接地コンタクト４２の接触部４２ａは、カードＣの接地用導電パッドＰ１に接触している状態を維持する。
【００３６】
更に、スライダ７０及びカードＣが図１０及び図１１に示す嵌合位置にあるときには、第２コンタクト５２の接触部５２ｂはカード挿入方向の手前側に変位して、一旦、第１コンタクト５１の接触部５１ｂから離間する。
一方、カードＣの排出を行うときには、図１０及び図１１に示すスライダ７０及びカードＣの嵌合位置（カードＣの挿入が完了した状態）からカードＣを再度押圧してスライダ７０をハウジング１０の後壁部１７ｂに当接させる。すると、スライダ７０及びカードＣは図１２及び図１３に示す再度の押圧位置に位置する。この再度の押圧位置では、カムロッド８２の他端部がカム溝８１の第１迂回部８１ｂの最前端に位置する。
【００３７】
このスライダ７０及びカードＣが図１０及び図１１に示す嵌合位置から図１２及び図１３に示す再度の押圧位置に至るまで、２つのコンタクト２０の接触部２０ａは信号用導電パッドＰ２、Ｐ３にそれぞれ接触している状態を維持する。また、残りの３つのコンタクト２０の接触部２０ａは、信号用導電パッドＰ６、Ｐ７、Ｐ８にそれぞれ接触している状態を維持する。
また、スライダ７０及びカードＣが図１０及び図１１に示す嵌合位置から図１２及び図１３に示す再度の押圧位置に至るまで、センサコンタクト４１の接触部４１ａ及び接地コンタクト４２の接触部４２ａは、カードＣの接地用導電パッドＰ１に接触している状態を維持する。
【００３８】
更に、スライダ７０及びカードＣが図１０及び図１１に示す嵌合位置から図１２及び図１３に示す再度の押圧位置に至る途中で、カードＣの挿入側前端面（カードＣの長手方向前端面）が、第２コンタクト５２の接触部５２ｂに当接する。この場合、カードＣの挿入側前端面のうち幅方向において接地用導電パッドＰ１に対応する位置の部分が第２コンタクト５２の接触部５２ｂに当接する。すると、第２コンタクト５２の接触部５２ｂは、再度、カードＣの挿入方向の奥側に変位して第１コンタクト５１の接触部５１ｂに接触する。これにより、第１コンタクト５１と第２コンタクト５２とが２回目の接触をするので、制御装置側でプリウォーニングスイッチ５０のオン状態と判断し、カードＣが排出されることが検知される。スライダ７０及びカードＣが図１２及び図１３に示す再度の押圧位置にあるときには、第２コンタクト５２の接触部５２ｂは、第１コンタクト５１の接触部５１ｂに接触している状態を維持している。
【００３９】
このように、プリウォーニングスイッチ用の接地コンタクトである第２コンタクト５２の接触部５２ｂがカードＣの接地用導電パッドＰ１に対応する位置にあるため、カードＣの挿入が完了した状態からカードＣを排出する時に、カードＣの挿入側前端面のうち幅方向において接地用導電パッドＰ１に対応する位置の部分が第２コンタクト５２の接触部５２ｂに当接する。そして、この接地コンタクトである第２コンタクト５２の接触部５２ｂがカード挿入方向の奥側に変位してプリウォーニングスイッチ用のセンサコンタクトである第１コンタクト５１の接触部５１ｂに接触する。従って、切断されて挿入側前端面の一部（幅方向右側面側の一部）に接地用導電パッドＰ１が露出し、その露出区域以外の部分に信号用導電パッドＰ２，Ｐ３が露出しているカードが挿入された場合でも、接地コンタクトで構成された第２コンタクト５２の接触部５２ｂが挿入側前端面に露出した接地用導電パッドＰ１に接触する。これにより、第２コンタクト５２がカードＣ側の信号用導電パッドＰ２，Ｐ３と短絡することなく、カードＣの排出を適切に検出することができる。
【００４０】
そして、スライダ７０及びカードＣが図１２及び図１３に示す再度の押圧位置にある状態で、カードＣから手を離す。すると、カードＣの押圧は解除されて、ばね部材９０の作用により、スライダ７０がカード排出方向に付勢される。そして、カードＣもスライダ７０とともにカード排出方向に移動し、図６及び図７に示す排出位置となる。この排出位置では、カムロッド８２の他端部がカム溝８１の直線状部８１ａの最後端に位置する。
【００４１】
このスライダ７０及びカードＣが図１２及び図１３に示す再度の押圧位置から図６及び図７に示す排出位置に至る途中で、２つのコンタクト２０の接触部２０ａは、信号用導電パッドＰ２、Ｐ３とそれぞれ非接触状態となる。また、残りの３つのコンタクト２０の接触部２０ａは、信号用導電パッドＰ６、Ｐ７、Ｐ８とそれぞれ非接触状態となる。
また、スライダ７０及びカードＣが図１２及び図１３に示す再度の押圧位置から図６及び図７に示す排出位置に至る途中で、センサコンタクト４１の接触部４１ａ及び接地コンタクト４２の接触部４２ａは、カードＣの接地用導電パッドＰ１と非接触状態となる。
【００４２】
更に、スライダ７０及びカードＣが図１２及び図１３に示す再度の押圧位置から図６及び図７に示す排出位置に至る途中で、第２コンタクト５２の接触部５２ｂはカード挿入方向の手前側に変位する。そして、第２コンタクト５２の接触部５２ｂは、再度、第１コンタクト５１の接触部５１ｂから離間する。そして、図６及び図７に示す排出位置（カードＣの排出が完了した状態）では、第２コンタクト５２の接触部５２ｂは第１コンタクト５１の接触部５１ｂから離間した状態を維持する。
そして、カードＣをカード受容空間１５から引き抜く。これにより、カードＣを取り出すことができる。
【００４３】
以上、本発明の実施形態について説明してきたが、本発明はこれに限定されずに種々の変更、改良を行うことができる。
例えば、接地用導電パッドＰ１は、カードＣの裏面の幅方向右側面側の一部領域に配置されている必要は必ずしもない。第２コンタクト５２の接触部５２ｂは、カードＣに設けられた接地用導電パッドＰ１に対応する位置に設けられれば良く、接地用導電パッドＰ１が配置される位置に応じてその位置を変更すればよい。
また、センサコンタクト４１及び接地コンタクト４２は、カードＣの挿入時に、カードＣの接地用導電パッドＰ１に接触できる位置にハウジング１０に設けられていればよく、必ずしもハウジング１０の幅方向右側面側に配置されている必要はない。
【符号の説明】
【００４４】
１  カードコネクタ
１０  ハウジング
２０  コンタクト
４０  カード検出スイッチ
４１  カード検出スイッチ用のセンサコンタクト
４２  カード検出スイッチ用の接地コンタクト
５０  プリウォーニングスイッチ
５１  第１コンタクト
５２  第２コンタクト
Ｃ  カード
Ｐ１  接地用導電パッド
Ｐ２〜Ｐ８  信号用導電パッド
【図１】
2016100217.tif 000003
【図２】
2016100217.tif 000004
【図３】
2016100217.tif 000005
【図４】
2016100217.tif 000006
【図５】
2016100217.tif 000007
【図６】
2016100217.tif 000008
【図７】
2016100217.tif 000009
【図８】
2016100217.tif 000010
【図９】
2016100217.tif 000011
【図１０】
2016100217.tif 000012
【図１１】
2016100217.tif 000013
【図１２】
2016100217.tif 000014
【図１３】
2016100217.tif 000015